(57)【要約】【課題】単位時間当たりに射出される電磁波の数を多くしつつ、センサ装置からある程度近い位置で反射した電磁波とセンサ装置からある程度遠い位置で反射した電磁波をセンサ装置の受信器が同時に検出しないようにする。【解決手段】送信器１００からの電磁波は、第１方向Ｄ１に向けて射出され、送信器１００からの次の電磁波は、第２方向Ｄ２に向けて射出される。第１方向Ｄ１と第２方向Ｄ２のなす角度θ２は、一例においてθ１の１倍超（θ２＞θ１）である。これにより、第１方向Ｄ１から反射した電磁波と第２方向Ｄ２から反射した電磁波がセンサ装置１０に同時に到達しても、これら２つの電磁波を受信器２００が同時に検出することがない。【選択図】図１１
2018071989.tif 000002
【特許請求の範囲】
【請求項１】
センサ装置であって、
送信器と、受信器と、を備え、
前記受信器は、前記センサ装置の外部の第１角度範囲からの電磁波を検出可能であり、
前記送信器からの電磁波は、第１のタイミングにおいて第１方向に向けて射出され、前記第１のタイミングの次のタイミングである第２タイミングにおいて第２方向に向けて射出され、
前記第１方向と前記第２方向のなす角度は、前記第１角度範囲の１倍超であるセンサ装置。
【請求項２】
請求項１に記載のセンサ装置において、
前記送信器からの電磁波は、前記第１角度範囲の外側に向けて射出されるセンサ装置。
【請求項３】
請求項１又は２に記載のセンサ装置において、
前記送信器からの電磁波を射出可能な方向は、
第１期間において、第１角度変化し、
前記第１期間の時間長と等しい時間長を有していて前記第１期間からずれた第２期間において、前記第１角度よりも小さい第２角度変化し、
前記第１期間内において、前記送信器からの電磁波及び次の電磁波は、第１時間間隔をおいて射出され、
前記第２期間内において、前記送信器からの電磁波及び次の電磁波は、前記第１時間間隔よりも長い第２時間間隔をおいて射出されるセンサ装置。
【請求項４】
請求項１〜３のいずれか一項に記載のセンサ装置において、
第１面を有する可動反射器を備え、
前記送信器からの電磁波は、前記第１面によって前記センサ装置の外部に向けて射出され、
前記第１角度範囲からの電磁波は、前記第１面によって前記受信器に向けて反射されるセンサ装置。
【請求項５】
請求項１〜３のいずれか一項に記載のセンサ装置において、
第１面と、前記第１面とは異なる方向を向いた第２面と、を有する可動反射器を備え、
前記送信器からの電磁波は、前記第１面によって前記センサ装置の外部に向けて射出され、
前記第１角度範囲からの電磁波は、前記第２面によって前記受信器に向けて反射されるセンサ装置。
【請求項６】
請求項１〜３のいずれか一項に記載のセンサ装置において、
駆動器を備え、
前記駆動器は、前記送信器からの電磁波を射出可能な方向と前記第１角度範囲を前記センサ装置の外側に向けた状態で前記送信器及び前記受信器を回転させるセンサ装置。
【請求項７】
送信器と、受信器と、を備えたセンサ装置によって用いられるセンシング方法であって、
送信器に、第１のタイミングにおいて第１方向に向けて電磁波を射出させ、前記第１のタイミングの次のタイミングである第２タイミングにおいて第２方向に向けて電磁波を射出させる射出工程と、
前記受信器に、前記センサ装置の外部の第１角度範囲からの電磁波を検出させる受信工程と、を含み、
前記第１方向と前記第２方向のなす角度は、前記第１角度範囲の１倍超である、センシング方法。
【請求項８】
請求項７に記載のセンシング方法をコンピュータに実行させるためのプログラム。
【請求項９】
請求項８に記載のプログラムを記憶した記憶媒体。
【発明の詳細な説明】
【技術分野】
【０００１】
本発明は、センサ装置、センシング方法、プログラム及び記憶媒体に関する。
【背景技術】
【０００２】
近年、ＬＩＤＡＲ（ＬＩｇｈｔ  Ｄｅｔｅｃｔｉｏｎ  Ａｎｄ  Ｒａｎｇｉｎｇ）を用いたセンサ装置が開発されている。特許文献１に記載されているように、ＬＩＤＡＲを用いたセンサ装置は、送信器及び受信器を備えている。センサ装置は、光が送信器から射出されて受信器に検出されるまでの時間に基づいて、対象物の位置、すなわちセンサ装置と対象物の間の距離を測定することができる。さらに、特許文献１のセンサ装置では、送信器からの光の射出向を、可動反射器を回転させることによって変えている。これにより、センサ装置は、複数の対象物の位置を測定することができる。
【先行技術文献】
【特許文献】
【０００３】
【特許文献１】特開２０１１−９５２０８号公報
【発明の概要】
【発明が解決しようとする課題】
【０００４】
ＬＩＤＡＲ又はＲＡＤＡＲ（ＲＡｄｉｏ  Ｄｅｔｃｔｉｏｎ  Ａｎｄ  Ｒａｎｇｉｎｇ）といったセンサ装置の送信器（例えば、レーザダイオード（ＬＤ））は、第１の電磁波を射出し、その後、第２の電磁波を射出する。広範囲の測定を高速に実行する観点からすると、第１の電磁波と第２の電磁波のタイミング間隔は短いこと、すなわち、単位時間当たりに射出される電磁波の数が多いことが望ましい。この場合において、第１の電磁波がセンサ装置からある程度遠い位置で反射し、第２の電磁波がセンサ装置からある程度近い位置で反射したとき、第１の電磁波と第２の電磁波がセンサ装置に同時に達することがある。この場合、センサ装置の受信器（例えば、フォトダイオード（ＰＤ））が第１の電磁波と第２の電磁波とを識別することができないことがある。本発明者は、単位時間当たりに射出される電磁波の数を多くしつつ、センサ装置からある程度近い位置で反射した電磁波とセンサ装置からある程度遠い位置で反射した電磁波をセンサ装置の受信器が同時に検出しないようにするための方法を検討した。
【０００５】
本発明が解決しようとする課題としては、単位時間当たりに射出される電磁波の数を多くしつつ、センサ装置からある程度近い位置で反射した電磁波とセンサ装置からある程度遠い位置で反射した電磁波をセンサ装置の受信器が同時に検出しないようにすることが一例として挙げられる。
【課題を解決するための手段】
【０００６】
請求項１に記載の発明は、
センサ装置であって、
送信器と、受信器と、を備え、
前記受信器は、前記センサ装置の外部の第１角度範囲からの電磁波を検出可能であり、
前記送信器からの電磁波は、第１のタイミングにおいて第１方向に向けて射出され、前記第１のタイミングの次のタイミングである第２タイミングにおいて第２方向に向けて射出され、
前記第１方向と前記第２方向のなす角度は、前記第１角度範囲の１倍超であるセンサ装置である。
【０００７】
請求項７に記載の発明は、
送信器と、受信器と、を備えたセンサ装置によって用いられるセンシング方法であって、
送信器に、第１のタイミングにおいて第１方向に向けて電磁波を射出させ、前記第１のタイミングの次のタイミングである第２タイミングにおいて第２方向に向けて電磁波を射出させる射出工程と、
前記受信器に、前記センサ装置の外部の第１角度範囲からの電磁波を検出させる受信工程と、を含み、
前記第１方向と前記第２方向のなす角度は、前記第１角度範囲の１倍超である、センシング方法である。
【０００８】
請求項８に記載の発明は、上述したセンシング方法をコンピュータに実行させるためのプログラムである。
【０００９】
請求項９に記載の発明は、上述したプログラムを記憶した記憶媒体である。
【図面の簡単な説明】
【００１０】
【図１】実施形態に係るセンサ装置を示す図である。
【図２】図１に示したセンサ装置の動作の第１例を説明するための図である。
【図３】図１に示したセンサ装置の動作の第１例を説明するための図である。
【図４】図１に示したセンサ装置の動作の第１例を説明するための図である。
【図５】図１に示したセンサ装置の動作の第２例を説明するための図である。
【図６】図１に示したセンサ装置の動作の第２例を説明するための図である。
【図７】図１に示したセンサ装置の動作の第２例を説明するための図である。
【図８】図１に示したセンサ装置の動作の第３例を説明するための図である。
【図９】図１に示したセンサ装置の動作の第３例を説明するための図である。
【図１０】図１に示したセンサ装置の動作の第３例を説明するための図である。
【図１１】図１に示したセンサ装置から電磁波が射出されるタイミングを説明するための図である。
【図１２】図１１に示したセンサ装置の動作の一例を説明するための図である。
【図１３】図１１に示したセンサ装置の動作の一例を説明するための図である。
【図１４】図１１に示したセンサ装置の動作の一例を説明するための図である。
【図１５】図１１に示したセンサ装置の動作の一例を説明するための図である。
【図１６】図１１に示したセンサ装置の動作の一例を説明するための図である。
【図１７】送信器からの電磁波を射出可能な方向と送信器から射出される電磁波のタイミングとの関係の一例を説明するための図である。
【図１８】図１１の変形例を示す図である。
【図１９】図１８に示したセンサ装置の動作の一例を説明するための図である。
【図２０】図１８に示したセンサ装置の動作の一例を説明するための図である。
【図２１】図１８に示したセンサ装置の動作の一例を説明するための図である。
【図２２】図１８に示したセンサ装置の動作の一例を説明するための図である。
【図２３】図１８に示したセンサ装置の動作の一例を説明するための図である。
【図２４】実施例１に係るセンサ装置を示す図である。
【図２５】図２４に示した受信器が電磁波を検出する方法の一例を説明するための図である。
【図２６】図２４に示したセンサ装置の動作の一例を説明するための図である。
【図２７】図２４に示したセンサ装置の動作の一例を説明するための図である。
【図２８】図２４に示したセンサ装置の動作の一例を説明するための図である。
【図２９】図２４に示したセンサ装置の動作の一例を説明するための図である。
【図３０】図２４に示したセンサ装置から電磁波が射出されるタイミングの一例を説明するための図である。
【図３１】図２４に示したセンサ装置から電磁波が射出されるタイミングの一例を説明するための図である。
【図３２】図２４に示したセンサ装置から電磁波が射出されるタイミングの一例を説明するための図である。
【図３３】実施例２に係るセンサ装置を示す図である。
【図３４】図３３に示したセンサ装置の動作の一例を説明するための図である。
【図３５】図３３に示したセンサ装置の動作の一例を説明するための図である。
【図３６】図３３に示したセンサ装置の動作の一例を説明するための図である。
【図３７】図３３に示したセンサ装置の動作の一例を説明するための図である。
【図３８】図３３に示したセンサ装置から電磁波が射出されるタイミングの一例を説明するための図である。
【図３９】図３３に示したセンサ装置から電磁波が射出されるタイミングの一例を説明するための図である。
【図４０】図３３に示したセンサ装置から電磁波が射出されるタイミングの一例を説明するための図である。
【図４１】実施例３に係るセンサ装置を示す図である。
【図４２】図４１に示したセンサ装置の動作の一例を説明するための図である。
【図４３】図４１に示したセンサ装置の動作の一例を説明するための図である。
【図４４】図４１に示したセンサ装置の動作の一例を説明するための図である。
【図４５】図４１に示したセンサ装置の動作の一例を説明するための図である。
【図４６】図４１に示したセンサ装置から電磁波が射出されるタイミングの一例を説明するための図である。
【図４７】図４１に示したセンサ装置から電磁波が射出されるタイミングの一例を説明するための図である。
【図４８】図４１に示したセンサ装置から電磁波が射出されるタイミングの一例を説明するための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係るセンサ装置１０を示す図である。本図に示す例では、説明のため、センサ装置１０は、ＸＹ直交座標の原点に置かれている。センサ装置１０は、送信器１００及び受信器２００を備えている。
【００１３】
送信器１００は、電磁波を射出可能であり、例えばレーザダイオード（ＬＤ）である。一例において、送信器１００からの電磁波は、光（例えば、赤外線、可視光又は紫外線）である。この例において、センサ装置１０は、ＬＩＤＡＲ（ＬＩｇｈｔ  Ｄｅｔｅｃｔｉｏｎ  Ａｎｄ  Ｒａｎｇｉｎｇ）として機能することができる。他の例において、送信器１００からの電磁波は、電波である。この例において、センサ装置１０は、ＲＡＤＡＲ（ＲＡｄｉｏ  Ｄｅｔｃｔｉｏｎ  Ａｎｄ  Ｒａｎｇｉｎｇ）として機能することができる。
【００１４】
受信器２００は、センサ装置１０の外部の第１角度範囲ＡＲ（角度θ１）からの電磁波を検出可能であり、例えばフォトダイオード（ＰＤ）、より具体的には例えばアバランシェフォトダイオード（ＡＰＤ）である。第１角度範囲ＡＲは、センサ装置１０を中心として回転している。一例において、第１角度範囲ＡＲは、一定の範囲内で振動している。他の例において、第１角度範囲ＡＲは、時計回り又は反時計回りの一方向にのみ回転している。本図に示すタイミングにおいて、第１角度範囲ＡＲは、センサ装置１０を中心として角速度ωで時計回りに回転している。角速度ωは、時間に依存して変動してもよいし、又は時間によらず一定であってもよい。
【００１５】
センサ装置１０は、電磁波が送信器１００から射出されて受信器２００に検出されるまでの時間に基づいて、対象物の位置を測定することができる。具体的には、センサ装置１０から距離Ｒ離れた位置にある対象物によって電磁波が反射する場合、電磁波がセンサ装置１０から射出されてセンサ装置１０に戻るまでの時間は、２Ｒ／ｃ（ｃ：電磁波の速度）である。このため、センサ装置１０は、この時間に基づいて、対象物の位置、すなわち距離Ｒを測定することができる。
【００１６】
図１に示す例において、送信器１００からの電磁波は、第１角度範囲ＡＲの外側に向けて射出される。具体的には、本図１に示すタイミングにおいて、第１角度範囲ＡＲは、Ｙ軸に達していない。このタイミングにおいて、送信器１００からの電磁波は、第１方向Ｄ１に向けて射出されており、本図に示す例において、第１方向Ｄ１は、Ｙ軸に沿っている。このようにして、本図１に示す例では、送信器１００からの電磁波は、第１角度範囲ＡＲの進行方向（本図に示す例では、時計回り方向）に向かって第１角度範囲ＡＲから角度Δθずれた方向に向けて射出されている。
【００１７】
受信器２００は、センサ装置１０からある程度近い位置で反射した電磁波、具体的には、センサ装置１０から距離Ｒ１未満離れた位置で反射した電磁波を検出することができない。具体的には、本図１に示すタイミングにおいて電磁波が出射された場合において、センサ装置１０から距離Ｒ１未満離れた位置でこの電磁波が反射されたとき、電磁波は、第１角度範囲ＡＲがＹ軸に達する前にセンサ装置１０に達する。言い換えると、以下の式（１）が満たされている。
【数１】
2018071989.tif 000003
このように、センサ装置１０からある程度近い位置で反射した電磁波は、受信器２００に検出されない（例えば、後述する図２〜図４の例）。
【００１８】
受信器２００は、センサ装置１０からある程度遠い位置で反射した電磁波、具体的には、センサ装置１０から距離Ｒ１以上距離Ｒ２以下（Ｒ１＜Ｒ２）離れた位置で反射した電磁波を検出することができる。具体的には、本図に示すタイミングにおいて電磁波が出射された場合において、センサ装置１０から距離Ｒ１以上距離Ｒ２以下離れた位置でこの電磁波が反射したとき、電磁波は、第１角度範囲ＡＲがＹ軸と重なっているタイミングでセンサ装置１０に達する。言い換えると、以下の式（２）が満たされている。
【数２】
2018071989.tif 000004
このように、センサ装置１０からある程度遠い位置で反射した電磁波は、受信器２００に検出される（例えば、後述する図５〜図７の例）。
【００１９】
受信器２００は、センサ装置１０から相当遠い位置で反射した電磁波、具体的には、センサ装置１０から距離Ｒ２超離れた位置で反射した電磁波を検出することができない。具体的には、本図に示すタイミングにおいて電磁波が出射された場合において、センサ装置１０から距離Ｒ２超離れた位置でこの電磁波が反射したとき、電磁波は、第１角度範囲ＡＲがＹ軸を通過した後にセンサ装置１０に達する。言い換えると、以下の式（３）が満たされている。
【数３】
2018071989.tif 000005
このように、センサ装置１０から相当に遠い位置で反射した電磁波は、受信器２００に検出されない（例えば、後述する図８〜図１０の例）。
【００２０】
本図１に示す例では、センサ装置１０からある程度近い位置で反射した電磁波とセンサ装置１０からある程度遠い位置で反射した電磁波を受信器２００が同時に検出しないようになっている。具体的には、式（２）を用いて説明したように、受信器２００は、センサ装置１０からある程度遠い位置で反射した電磁波を検出することができる。これに対して、式（１）を用いて説明したように、受信器２００は、センサ装置１０からある程度近い位置で反射した電磁波を検出することができない。これにより、センサ装置１０からある程度近い位置で反射した電磁波とセンサ装置１０からある程度遠い位置で反射した電磁波を受信器２００が同時に検出しないようになっている。
【００２１】
一例において、距離Ｒ１は５ｍである。この例において、受信器２００は、センサ装置１０から５ｍ未満離れた位置で反射した電磁波を検出することができない。
【００２２】
図２〜図４は、図１に示したセンサ装置１０の動作の第１例を説明するための図である。図２〜図４において、センサ装置１０から伸びる矢印は、センサ装置１０から射出された電磁波を示し、対象物ＯＢから伸びる矢印は、対象物ＯＢで反射した電磁波を示す。本例においては、第１方向Ｄ１においてセンサ装置１０から距離Ｄ離れた位置に対象物ＯＢが存在している。距離Ｄは、距離Ｒ１未満（Ｄ＜Ｒ１）である。本例においては、センサ装置１０を用いたセンシング方法が以下のようにして実施されている。なお、このセンシング方法は、プログラムがコンピュータに実行させてもよい。この場合において、プログラムは、記憶媒体に記憶させることができる。後述するセンシング方法も、プログラムがコンピュータに実行させてもよく、このプログラムは、記憶媒体に記憶させることができる。
【００２３】
まず、図２に示すように、時刻ｔ＝０において、送信器１００からの電磁波が第１方向Ｄ１に向けて射出される。
【００２４】
次いで、図３に示すように、時刻ｔ＝Ｔにおいて、送信器１００からの電磁波が対象物ＯＢに達する。言い換えると、本例において、電磁波の速度はＤ／Ｔである。
【００２５】
次いで、図４に示すように、時刻ｔ＝２Ｔにおいて、対象物ＯＢから反射した電磁波がセンサ装置１０に達する。時刻ｔ＝２Ｔにおいて、第１角度範囲ＡＲは、第１方向Ｄ１に未だ達していない。このため、電磁波は受信器２００によって検出されない。
【００２６】
図５〜図７は、図１に示したセンサ装置１０の動作の第２例を説明するための図である。図５〜図７において、センサ装置１０から伸びる矢印は、センサ装置１０から射出された電磁波を示し、対象物ＯＢから伸びる矢印は、対象物ＯＢで反射した電磁波を示す。本例においては、第１方向Ｄ１においてセンサ装置１０から距離２Ｄ離れた位置に対象物ＯＢが存在している。距離２Ｄは、距離Ｒ１以上距離Ｒ２以下（Ｒ１≦２Ｄ≦Ｒ２）である。本例においては、センサ装置１０を用いたセンシング方法が以下のようにして実施されている。
【００２７】
まず、図５に示すように、時刻ｔ＝０において、送信器１００からの電磁波が第１方向Ｄ１に向けて射出される。
【００２８】
次いで、図６に示すように、時刻ｔ＝２Ｔにおいて、送信器１００からの電磁波が対象物ＯＢに達する。言い換えると、本例において、電磁波の速度はＤ／Ｔである。
【００２９】
次いで、図７に示すように、時刻ｔ＝４Ｔにおいて、対象物ＯＢから反射した電磁波がセンサ装置１０に達する。時刻ｔ＝４Ｔにおいて、第１角度範囲ＡＲは、第１方向Ｄ１と重なっている。このため、電磁波は受信器２００によって検出される。
【００３０】
図８〜図１０は、図１に示したセンサ装置１０の動作の第３例を説明するための図である。図８〜図１０において、センサ装置１０から伸びる矢印は、センサ装置１０から射出された電磁波を示し、対象物ＯＢから伸びる矢印は、対象物ＯＢで反射した電磁波を示す。本例においては、第１方向Ｄ１においてセンサ装置１０から距離３Ｄ離れた位置に対象物ＯＢが存在している。距離３Ｄは、距離Ｒ２超（Ｒ２＜３Ｄ）である。本例においては、センサ装置１０を用いたセンシング方法が以下のようにして実施されている。
【００３１】
まず、図８に示すように、時刻ｔ＝０において、送信器１００からの電磁波が第１方向Ｄ１に向けて射出される。
【００３２】
次いで、図９に示すように、時刻ｔ＝３Ｔにおいて、送信器１００からの電磁波が対象物ＯＢに達する。言い換えると、本例において、電磁波の速度はＤ／Ｔである。
【００３３】
次いで、図１０に示すように、時刻ｔ＝６Ｔにおいて、対象物ＯＢから反射した電磁波がセンサ装置１０に達する。時刻ｔ＝６Ｔにおいて、第１角度範囲ＡＲは、第１方向Ｄ１を既に通過している。このため、電磁波は受信器２００に検出されない。
【００３４】
図１１は、図１に示したセンサ装置１０から電磁波が射出されるタイミングを説明するための図である。本図に示す例において、送信器１００からの電磁波は、第１方向Ｄ１に向けて射出され、送信器１００からの次の電磁波は、第２方向Ｄ２に向けて射出される。送信器１００からの電磁波を射出可能な方向は、時間に依存して変動しており、具体的には、第１角度範囲ＡＲと同期している。
【００３５】
第１方向Ｄ１と第２方向Ｄ２のなす角度θ２は、第１角度範囲ＡＲ（θ１）よりも広く、一例においてθ１の１倍超（θ２＞θ１）である。これにより、第１方向Ｄ１から反射した電磁波と第２方向Ｄ２から反射した電磁波がセンサ装置１０に同時に到達しても、これら２つの電磁波を受信器２００が同時に検出することがない。
【００３６】
なお、第１方向Ｄ１と第２方向Ｄ２のなす角度θ２は、上述の条件（θ２＞θ１）を満たしていれば、ある程度狭く設定してもよい。これにより、単位時間当たりに射出される電磁波の数が多くなっている。
【００３７】
図１２〜図１６は、図１１に示したセンサ装置１０の動作の一例を説明するための図である。図１２〜図１６において、センサ装置１０から伸びる矢印は、センサ装置１０から射出された電磁波を示し、対象物ＯＢ１から伸びる矢印は、対象物ＯＢ１で反射した電磁波を示し、対象物ＯＢ２から伸びる矢印は、対象物ＯＢ２で反射した電磁波を示す。本例においては、第１方向Ｄ１においてセンサ装置１０から距離３Ｄ離れた位置に対象物ＯＢ１が存在している。さらに、第２方向Ｄ２においてセンサ装置１０から距離Ｄ離れた位置に対象物ＯＢ２が存在している。距離Ｄは、距離Ｒ１未満（Ｄ＜Ｒ１）である。距離３Ｄは、距離Ｒ２超（Ｒ２＜３Ｄ）である。本例においては、センサ装置１０を用いたセンシング方法が以下のようにして実施されている。
【００３８】
まず、図１２に示すように、時刻ｔ＝０において、送信器１００からの電磁波が第１方向Ｄ１に向けて射出される。なお、本図に示すタイミングにおいて、第１方向Ｄ１は、第１角度範囲ＡＲの進行方向（本図に示す例では、時計回り方向）に向かって第１角度範囲ＡＲから角度Δθずれている。
【００３９】
次いで、図１３に示すように、時刻ｔ＝３Ｔにおいて、送信器１００からの電磁波が対象物ＯＢ１に達する。言い換えると、本例において、電磁波の速度はＤ／Ｔである。
【００４０】
次いで、図１４に示すように、時刻ｔ＝４Ｔにおいて、送信器１００からの電磁波が第２方向Ｄ２に向けて射出される。さらに、時刻ｔ＝４Ｔにおいて、対象物ＯＢ１から反射した電磁波は、センサ装置１０から距離２Ｄ離れた位置に達する。なお、本図に示すタイミングにおいて、第２方向Ｄ２は、第１角度範囲ＡＲの進行方向（本図に示す例では、時計回り方向）に向かって第１角度範囲ＡＲから角度Δθずれている。
【００４１】
次いで、図１５に示すように、時刻ｔ＝５Ｔにおいて、送信器１００からの電磁波が対象物ＯＢ２に達する。さらに、時刻ｔ＝５Ｔにおいて、対象物ＯＢ１から反射した電磁波は、センサ装置１０から距離Ｄ離れた位置に達する。
【００４２】
次いで、図１６に示すように、時刻ｔ＝６Ｔにおいて、対象物ＯＢ１から反射した電磁波と対象物ＯＢ２から反射した電磁波が同時にセンサ装置１０に達する。一方、時刻ｔ＝６Ｔにおいて、第１角度範囲ＡＲ１は、第１方向Ｄ１を既に通過しており、第２方向Ｄ２に未だ達していない。このため、対象物ＯＢ１から反射した電磁波及び対象物ＯＢ２から反射した電磁波は、いずれも受信器２００に検出されない。
【００４３】
図１７は、送信器１００からの電磁波を射出可能な方向と送信器１００から射出される電磁波のタイミングとの関係の一例を説明するための図である。本図中の上側のグラフ（グラフＧ１）は、送信器１００からの電磁波を射出可能な方向を示している。本図中の下側のグラフ（グラフＧ２）は、送信器１００から射出される電磁波のタイミングを示している。
【００４４】
送信器１００からの電磁波を射出可能な方向は、時間に依存して変動しており、グラフＧ１に示す例においては一定の範囲内で振動している。グラフＧ１は、当該方向の振動のおおよそ１／４周期を示している。グラフＧ１に示すように、振動の角速度は、時間に依存して変動しており、グラフＧ１に示す領域においては時間の経過とともに減少している。グラフＧ１において、上記方向は、第１期間Ｐ１において第１角度Ａ１変化し、第２期間Ｐ２において第２角度Ａ２変化している。第２期間Ｐ２の時間長は、第１期間Ｐ１の時間長と等しい。第２期間Ｐ２は、第１期間Ｐ１からずれており、グラフＧ１に示す例においては第１期間Ｐ１よりも後の期間である。このため、第２角度Ａ２は、第１角度Ａ１よりも小さくなっている。
【００４５】
グラフＧ２に示すように、送信器１００から射出される電磁波の時間間隔は、時間に依存して変動している。具体的には、第１期間Ｐ１内において、送信器１００からの電磁波及び次の電磁波は、第１時間間隔Ｉ１をおいて射出されており、第２期間Ｐ２内において、送信器１００からの電磁波及び次の電磁波は、第２時間間隔Ｉ２をおいて射出されている。第２時間間隔Ｉ２は、第１時間間隔Ｉ１よりも長い。これにより、第２時間間隔Ｉ２の始期に射出された電磁波の方向と第２時間間隔Ｉ２の終期に射出された電磁波の方向のなす角度θ２（２）は、第１時間間隔Ｉ１の始期に射出された電磁波の方向と第１時間間隔Ｉ１の終期に射出された電磁波の方向のなす角度θ２（１）と実質的に等しくなるようにすることができる。
【００４６】
図１１に示した角度θ２と同様にして、角度θ２（１）及びθ２（２）は、いずれも、第１角度範囲ＡＲ（θ１）よりも広い。このため、第１時間間隔Ｉ１の始期に射出された電磁波と第１時間間隔Ｉ１の終期に射出された電磁波が同時にセンサ装置１０に戻っても、これら２つの電磁波は受信器２００に検出されない。同様にして、第２時間間隔Ｉ２の始期に射出された電磁波と第２時間間隔Ｉ２の終期に射出された電磁波が同時にセンサ装置１０に戻っても、これら２つの電磁波は受信器２００に検出されない。
【００４７】
図１１に示した角度θ２と同様にして、角度θ２（１）及びθ２（２）は、いずれも、ある程度狭い。このため、さらに、単位時間当たりに射出される電磁波の数が多くなっている。
【００４８】
図１８は、図１１の変形例を示す図である。本図に示す例において、送信器１００からの電磁波は、第１角度範囲ＡＲの内側、具体的には第１角度範囲ＡＲの中心に向けて射出される。具体的には、本図に示すタイミングにおいて、第１角度範囲ＡＲは、Ｙ軸と重なっている。このタイミングにおいて、送信器１００からの電磁波は、第１方向Ｄ１に向けて射出されており、本図に示す例において、第１方向Ｄ１は、Ｙ軸に沿っている。このようにして、本図に示す例では、送信器１００からの電磁波は、第１角度範囲ＡＲの中心に向けて射出される。
【００４９】
受信器２００は、センサ装置１０から一定距離以下離れた位置で反射した電磁波、具体的には、センサ装置１０から距離Ｒ３以下離れた位置で反射した電磁波を検出することができる。具体的には、本図に示すタイミングにおいて電磁波が出射された場合において、センサ装置１０から距離Ｒ３以下離れた位置でこの電磁波が反射したとき、電磁波は、第１角度範囲ＡＲがＹ軸に達する前にセンサ装置１０に達する。言い換えると、以下の式（４）が満たされている。
【数４】
2018071989.tif 000006
これにより、センサ装置１０から一定距離以下離れた位置で反射した電磁波は、受信器２００に検出される。
【００５０】
受信器２００は、センサ装置１０から一定距離超離れた位置で反射した電磁波、具体的には、センサ装置１０から距離Ｒ３超離れた位置で反射した電磁波を検出することができない。具体的には、本図に示すタイミングにおいて電磁波が出射された場合において、センサ装置１０から距離Ｒ３超離れた位置でこの電磁波が反射したとき、電磁波は、第１角度範囲ＡＲがＹ軸を通過した後にセンサ装置１０に達する。言い換えると、以下の式（５）が満たされている。
【数５】
2018071989.tif 000007
これにより、センサ装置１０から一定距離超離れた位置で反射した電磁波は、受信器２００に検出されない。
【００５１】
本図に示す例において、送信器１００からの電磁波は、第１方向Ｄ１に向けて射出され、送信器１００からの次の電磁波は、第２方向Ｄ２に向けて射出される。送信器１００からの電磁波を射出可能な方向は、時間に依存して変動しており、具体的には、第１角度範囲ＡＲと同期している。
【００５２】
図１１に示した例と同様にして、第１方向Ｄ１と第２方向Ｄ２のなす角度θ２は、第１角度範囲ＡＲ（θ１）よりも広い。これにより、第１方向Ｄ１から反射した電磁波と第２方向Ｄ２から反射した電磁波がセンサ装置１０に同時に到達しても、これら２つの電磁波を受信器２００が同時に検出することがない。
【００５３】
図１１に示した例と同様にして、第１方向Ｄ１と第２方向Ｄ２のなす角度θ２は、ある程度狭い。これにより、単位時間当たりに射出される電磁波の数が多くなっている。
【００５４】
図１９〜図２３は、図１８に示したセンサ装置１０の動作の一例を説明するための図である。図１９〜図２３において、センサ装置１０から伸びる矢印は、センサ装置１０から射出された電磁波を示し、対象物ＯＢ１から伸びる矢印は、対象物ＯＢ１で反射した電磁波を示し、対象物ＯＢ２から伸びる矢印は、対象物ＯＢ２で反射した電磁波を示す。本例においては、第１方向Ｄ１においてセンサ装置１０から距離４Ｄ離れた位置に対象物ＯＢ１が存在している。さらに、第２方向Ｄ２においてセンサ装置１０から距離Ｄ離れた位置に対象物ＯＢ２が存在している。距離Ｄは、距離Ｒ３以下（Ｄ≦Ｒ３）である。距離４Ｄは、距離Ｒ３超（Ｒ３＜４Ｄ）である。本例においては、センサ装置１０を用いたセンシング方法が以下のようにして実施されている。
【００５５】
まず、図１９に示すように、時刻ｔ＝０において、送信器１００からの電磁波が第１方向Ｄ１に向けて射出される。なお、本図に示すタイミングにおいて、第１方向Ｄ１は、第１角度範囲ＡＲの中心方向と重なっている。
【００５６】
次いで、図２０に示すように、時刻ｔ＝４Ｔにおいて、送信器１００からの電磁波が対象物ＯＢ１に達する。言い換えると、本例において、電磁波の速度はＤ／Ｔである。
【００５７】
次いで、図２１に示すように、時刻ｔ＝６Ｔにおいて、送信器１００からの電磁波が第２方向Ｄ２に向けて射出される。さらに、時刻ｔ＝６Ｔにおいて、対象物ＯＢ１から反射した電磁波は、センサ装置１０から距離２Ｄ離れた位置に達する。なお、本図に示すタイミングにおいて、第２方向Ｄ２は、第１角度範囲ＡＲの中心方向と重なっている。
【００５８】
次いで、図２２に示すように、時刻ｔ＝７Ｔにおいて、送信器１００からの電磁波が対象物ＯＢ２に達する。さらに、時刻ｔ＝７Ｔにおいて、対象物ＯＢ１から反射した電磁波は、センサ装置１０から距離Ｄ離れた位置に達する。
【００５９】
次いで、図２３に示すように、時刻ｔ＝８Ｔにおいて、対象物ＯＢ１から反射した電磁波と対象物ＯＢ２から反射した電磁波が同時にセンサ装置１０に達する。一方、時刻ｔ＝８Ｔにおいて、第１角度範囲ＡＲ１は、第１方向Ｄ１を既に通過しており、第２方向Ｄ２と重なっている。このため、対象物ＯＢ１から反射した電磁波は受信器２００に検出されず、対象物ＯＢ２から反射した電磁波は受信器２００に検出される。言い換えると、受信器２００は、これら２つの電磁波を同時に検出していない。
【００６０】
以上、本実施形態によれば、センサ装置１０からある程度近い位置で反射した電磁波は、受信器２００に検出されず、センサ装置１０からある程度遠い位置で反射した電磁波は、受信器２００に検出される。このため、センサ装置１０からある程度近い位置で反射した電磁波とセンサ装置１０からある程度遠い位置で反射した電磁波を受信器２００が同時に検出しないようにすることができる。
【実施例】
【００６１】
（実施例１）
図２４は、実施例１に係るセンサ装置１０を示す図であり、実施形態の図１に対応する。
【００６２】
センサ装置１０は、送信器１００、受信器２００及び可動反射器３１０を備えている。送信器１００は、例えばＬＤである。受信器２００は、例えばＡＰＤであり、面２１２を有している。受信器２００は、面２１２に照射された電磁波を検出可能である。可動反射器３１０は、例えばＭＥＭＳ（Ｍｉｃｒｏ−ＥｌｅｃｔｒｏＭｅｃｈａｎｉｃａｌ  Ｓｙｓｔｅｍｓ）振動ミラーであり、第１面３１２を有している。可動反射器３１０は、第１面３１２によって電磁波を反射可能である。なお、一例において、可動反射器３１０（第１面３１２）の振動の角速度は、図１７のグラフＧ１に示したように、時間に依存して変動している。
【００６３】
送信器１００からの電磁波は、可動反射器３１０の第１面３１２によって反射され、センサ装置１０の外部に向けて射出される。対象物ＯＢによって反射された電磁波は、可動反射器３１０の第１面３１２によって反射され、受信器２００で受信（受光）される。ここで、当該対象物ＯＢによって反射された電磁波が、第１角度範囲ＡＲ（即ち、受信器２００が受信可能な範囲）内である場合に、当該電磁波は受信器２００で受信される。言い換えると、受信器２００は、送信器１００からの電磁波が射出される方向とは異なる方向からの電磁波を検出（受信）可能なように位置している。これにより、送信器１００からの電磁波は、第１角度範囲ＡＲの外側に向けて射出される。さらに、送信器１００からの電磁波を射出可能な方向は、第１角度範囲ＡＲと同期するようになる。
【００６４】
図２５は、図２４に示した受信器２００が電磁波を検出する方法の一例を説明するための図である。本図に示す例において、受信器２００は、電磁波Ａ及び電磁波Ｂを検出可能であり、電磁波Ｃを検出不可能である。具体的には、受信器２００は、電磁波の中心が面２１２と重なっている場合、電磁波を検出可能である。
【００６５】
本図に示す例において、電磁波Ａの半値全幅スポットの全体が面２１２と重なっており、このため、電磁波Ａの中心は、面２１２と重なっている。これにより、受信器２００は、電磁波Ａを検出可能である。
【００６６】
本図に示す例において、電磁波Ｂの半値全幅スポットの一部（おおよそ半分）は面２１２と重なっていないものの、電磁波Ｂの中心は、面２１２と重なっている。これにより、受信器２００は、電磁波Ｂを検出可能である。
【００６７】
本図に示す例において、電磁波Ｃの半値全幅スポットのほとんどは面２１２と重なっておらず、さらに電磁波Ｃの中心は、面２１２と重なっていない。これにより、受信器２００は、電磁波Ｃを検出不可能である。
【００６８】
図２６〜図２９は、図２４に示したセンサ装置１０の動作の一例を説明するための図である。本例においては、センサ装置１０を用いたセンシング方法が以下のようにして実施されている。
【００６９】
実施形態に係るセンサ装置１０が本実施例に係るセンサ装置１０と同様である場合、図２〜図４に示した例において、センサ装置１０は、図２に示したタイミングで図２６に示すように動作し、図４に示したタイミングで図２７に示すように動作する。
【００７０】
まず、図２６に示すように、時刻ｔ＝０において、送信器１００からの電磁波が可動反射器３１０の第１面３１２によって反射される。これにより、送信器１００からの電磁波は、第１方向Ｄ１に向けて射出される。
【００７１】
次いで、図２７に示すように、時刻ｔ＝２Ｔにおいて、第１方向Ｄ１からの電磁波が可動反射器３１０の第１面３１２によって反射される。この電磁波は、受信器２００の面２１２に照射されず、面２１２から面２１２の一方の側に向けて逸れる。これにより、この電磁波は、受信器２００に検出されない。なお、本図２７に示される電磁波は、対象物ＯＢが、センサ装置１０に近接した位置に存在している場合（実施形態における図２〜図４のように、対象物ＯＢが距離Ｒ１未満離れた位置に存在している場合）における対象物ＯＢによって反射された電磁波である。
【００７２】
実施形態に係るセンサ装置１０が本実施例に係るセンサ装置１０と同様である場合、図５〜図７に示した例において、センサ装置１０は、図５に示したタイミングで図２６に示すように動作し、図７に示したタイミングで図２８に示すように動作する。
【００７３】
まず、図２６に示すように、時刻ｔ＝０において、送信器１００からの電磁波が可動反射器３１０の第１面３１２によって反射される。これにより、送信器１００からの電磁波は、第１方向Ｄ１に向けて射出される。
【００７４】
次いで、図２８に示すように、時刻ｔ＝４Ｔにおいて、第１方向Ｄ１からの電磁波が可動反射器３１０の第１面３１２によって反射される。この電磁波は、受信器２００の面２１２に照射される。これにより、この電磁波は、受信器２００に検出される。なお、本図２８に示される電磁波は、対象物ＯＢが、センサ装置１０の検出可能な範囲内に存在している場合（実施形態における図５〜図７のように、対象物ＯＢが距離Ｒ１以上Ｒ２以下離れた位置に存在している場合）における対象物ＯＢによって反射された電磁波である。
【００７５】
実施形態に係るセンサ装置１０が本実施例に係るセンサ装置１０と同様である場合、図８〜図１０に示した例において、センサ装置１０は、図８に示したタイミングで図２６に示すように動作し、図１０に示したタイミングで図２９に示すように動作する。
【００７６】
まず、図２６に示すように、時刻ｔ＝０において、送信器１００からの電磁波が可動反射器３１０の第１面３１２によって反射される。これにより、送信器１００からの電磁波は、第１方向Ｄ１に向けて射出される。
【００７７】
次いで、図２９に示すように、時刻ｔ＝６Ｔにおいて、第１方向Ｄ１からの電磁波が可動反射器３１０の第１面３１２によって反射される。この電磁波は、受信器２００の面２１２に照射されず、面２１２から面２１２の他方の側に向けて逸れる。これにより、この電磁波は、受信器２００に検出されない。なお、本図２９に示される電磁波は、対象物ＯＢが、センサ装置１０に相当に遠い位置に存在している場合（実施形態における図８〜図１０のように、対象物ＯＢが距離Ｒ２超離れた位置に存在している場合）における対象物ＯＢによって反射された電磁波である。
【００７８】
図３０〜図３２は、図２４に示したセンサ装置１０から電磁波が射出されるタイミングの一例を説明するための図である。本例においては、センサ装置１０を用いたセンシング方法が以下のようにして実施されている。
【００７９】
実施形態に係るセンサ装置１０が本実施例に係るセンサ装置１０と同様である場合、図１２〜図１６に示した例において、センサ装置１０は、図１２に示したタイミングで３０に示すように動作し、図１４に示したタイミングで図３１に示すように動作し、図１６に示したタイミングで図３２に示すように動作する。
【００８０】
まず、図３０に示すように、時刻ｔ＝０において、送信器１００からの電磁波が可動反射器３１０の第１面３１２によって反射される。これにより、送信器１００からの電磁波は、第１方向Ｄ１に向けて射出される。
【００８１】
次いで、図３１に示すように、時刻ｔ＝４Ｔにおいて、送信器１００からの電磁波が可動反射器３１０の第１面３１２によって反射される。これにより、送信器１００からの電磁波は、第２方向Ｄ２に向けて射出される。
【００８２】
次いで、図３２に示すように、時刻ｔ＝６Ｔにおいて、第１方向Ｄ１からの電磁波及び第２方向Ｄ２からの電磁波が第１面３１２によって反射される。第２方向Ｄ２からの電磁波は、受信器２００の面２１２に照射されず、面２１２から面２１２の一方の側に向けて逸れる。第１方向Ｄ１からの電磁波は、受信器２００の面２１２に照射されず、面２１２から面２１２の他方の側に向けて逸れる。これにより、これらの電磁波は、受信器２００に検出されない。なお、本図３２に示される第１方向Ｄ１からの電磁波は、対象物ＯＢが、センサ装置１０に相当に遠い位置に存在している場合（実施形態における図８〜図１０のように、対象物ＯＢが距離Ｒ２超離れた位置に存在している場合）における対象物ＯＢによって反射された電磁波であり、本図３２に示される第２方向Ｄ２からの電磁波は、対象物ＯＢが、センサ装置１０に近接した位置に存在している場合（実施形態における図２〜図４のように、対象物ＯＢが距離Ｒ１未満離れた位置に存在している場合）における対象物ＯＢによって反射された電磁波である。
【００８３】
（実施例２）
図３３は、実施例２に係るセンサ装置１０を示す図であり、実施形態の図１に対応する。本実施例に係るセンサ装置１０は、以下の点を除いて、実施形態に係るセンサ装置１０と同様である。
【００８４】
センサ装置１０は、送信器１００、受信器２００及び可動反射器３１０を備えている。送信器１００は、例えばＬＤである。受信器２００は、例えばＡＰＤであり、面２１２を有している。受信器２００は、面２１２に照射された電磁波を検出可能である。可動反射器３１０は、例えばＭＥＭＳ（Ｍｉｃｒｏ−ＥｌｅｃｔｒｏＭｅｃｈａｎｉｃａｌ  Ｓｙｓｔｅｍｓ）振動ミラーであり、第１面３１２及び第２面３１４を有している。第２面３１４は、第１面３１２とは異なる方向を向いている。可動反射器３１０は、第１面３１２又は第２面３１４によって電磁波を反射可能である。
【００８５】
送信器１００からの電磁波は、可動反射器３１０の第１面３１２によってセンサ装置１０の外部に向けて反射される。第１角度範囲ＡＲからの電磁波は、可動反射器３１０の第２面３１４によって受信器２００に向けて反射される。言い換えると、受信器２００は、送信器１００からの電磁波が射出される方向とは異なる方向からの電磁波を検出可能なように位置している。これにより、送信器１００からの電磁波は、第１角度範囲ＡＲの外側に向けて射出される。さらに、送信器１００からの電磁波を射出可能な方向は、第１角度範囲ＡＲと同期するようになる。
【００８６】
図３４〜図３７は、図３３に示したセンサ装置１０の動作の一例を説明するための図である。本例においては、センサ装置１０を用いたセンシング方法が以下のようにして実施されている。
【００８７】
実施形態に係るセンサ装置１０が本実施例に係るセンサ装置１０と同様である場合、図２〜図４に示した例において、センサ装置１０は、図２に示したタイミングで図３４に示すように動作し、図４に示したタイミングで図３５に示すように動作する。
【００８８】
まず、図３４に示すように、時刻ｔ＝０において、送信器１００からの電磁波が可動反射器３１０の第１面３１２によって反射される。これにより、送信器１００からの電磁波は、第１方向Ｄ１に向けて射出される。
【００８９】
次いで、図３５に示すように、時刻ｔ＝２Ｔにおいて、第１方向Ｄ１からの電磁波が可動反射器３１０の第２面３１４によって反射される。この電磁波は、受信器２００の面２１２に照射されず、面２１２から面２１２の一方の側に向けて逸れる。これにより、この電磁波は、受信器２００に検出されない。
【００９０】
実施形態に係るセンサ装置１０が本実施例に係るセンサ装置１０と同様である場合、図５〜図７に示した例において、センサ装置１０は、図５に示したタイミングで図３４に示すように動作し、図７に示したタイミングで図３６に示すように動作する。
【００９１】
まず、図３４に示すように、時刻ｔ＝０において、送信器１００からの電磁波が可動反射器３１０の第１面３１２によって反射される。これにより、送信器１００からの電磁波は、第１方向Ｄ１に向けて射出される。
【００９２】
次いで、図３６に示すように、時刻ｔ＝４Ｔにおいて、第１方向Ｄ１からの電磁波が可動反射器３１０の第２面３１４によって反射される。この電磁波は、受信器２００の面２１２に照射される。これにより、この電磁波は、受信器２００に検出される。
【００９３】
実施形態に係るセンサ装置１０が本実施例に係るセンサ装置１０と同様である場合、図８〜図１０に示した例において、センサ装置１０は、図８に示したタイミングで図３４に示すように動作し、図１０に示したタイミングで図３７に示すように動作する。
【００９４】
まず、図３４に示すように、時刻ｔ＝０において、送信器１００からの電磁波が可動反射器３１０の第１面３１２によって反射される。これにより、送信器１００からの電磁波は、第１方向Ｄ１に向けて射出される。
【００９５】
次いで、図３７に示すように、時刻ｔ＝６Ｔにおいて、第１方向Ｄ１からの電磁波が可動反射器３１０の第２面３１４によって反射される。この電磁波は、受信器２００の面２１２に照射されず、面２１２から面２１２の他方の側に向けて逸れる。これにより、この電磁波は、受信器２００に検出されない。
【００９６】
図３８〜図４０は、図３３に示したセンサ装置１０から電磁波が射出されるタイミングの一例を説明するための図である。本例においては、センサ装置１０を用いたセンシング方法が以下のようにして実施されている。
【００９７】
実施形態に係るセンサ装置１０が本実施例に係るセンサ装置１０と同様である場合、図１２〜図１６に示した例において、センサ装置１０は、図１２に示したタイミングで３８に示すように動作し、図１４に示したタイミングで図３９に示すように動作すし、図１６に示したタイミングで図４０に示すように動作する。
【００９８】
まず、図３８に示すように、時刻ｔ＝０において、送信器１００からの電磁波が可動反射器３１０の第１面３１２によって反射される。これにより、送信器１００からの電磁波は、第１方向Ｄ１に向けて射出される。
【００９９】
次いで、図３９に示すように、時刻ｔ＝４Ｔにおいて、送信器１００からの電磁波が可動反射器３１０の第１面３１２によって反射される。これにより、送信器１００からの電磁波は、第２方向Ｄ２に向けて射出される。
【０１００】
次いで、図４０に示すように、時刻ｔ＝６Ｔにおいて、第１方向Ｄ１からの電磁波及び第２方向Ｄ２からの電磁波が第２面３１４によって反射される。第２方向Ｄ２からの電磁波は、受信器２００の面２１２に照射されず、面２１２から面２１２の一方の側に向けて逸れる。第１方向Ｄ１からの電磁波は、受信器２００の面２１２に照射されず、面２１２から面２１２の他方の側に向けて逸れる。これにより、これらの電磁波は、受信器２００に検出されない。
【０１０１】
（実施例３）
図４１は、実施例３に係るセンサ装置１０を示す図であり、実施形態の図１に対応する。本実施例に係るセンサ装置１０は、以下の点を除いて、実施形態に係るセンサ装置１０と同様である。
【０１０２】
センサ装置１０は、送信器１００、受信器２００及びロータ３２０を備えている。送信器１００は、例えばＬＤである。受信器２００は、例えばＡＰＤである。送信器１００及び受信器２００は、ロータ３２０に搭載されている。これにより、送信器１００及び受信器２００は、ロータ３２０の回転軸に関してロータ３２０の角速度と等しい角速度で回転する。言い換えると、ロータ３２０は、送信器１００及び受信器２００を回転させる駆動器として機能している。このようにして、送信器１００からの電磁波を射出可能な方向は、第１角度範囲ＡＲと同期するようになる。一例において、ロータ３２０の角速度は、時間によらず一定である。
【０１０３】
送信器１００及び受信器２００は、送信器１００からの電磁波を射出可能な方向と受信器２００の第１角度範囲ＡＲがセンサ装置１０の外側を向くようにロータ３２０に搭載されている。このため、ロータ３２０が回転する場合、送信器１００及び受信器２００は、送信器１００からの電磁波を射出可能な方向と受信器２００の第１角度範囲ＡＲをセンサ装置１０の外側に向けた状態で回転する。
【０１０４】
さらに、送信器１００及び受信器２００は、送信器１００からの電磁波を射出可能な方向が受信器２００の第１角度範囲ＡＲの外側を向くようにロータ３２０に搭載されている。これにより、送信器１００からの電磁波は、第１角度範囲ＡＲの外側に向けて射出される。
【０１０５】
図４２〜図４５は、図４１に示したセンサ装置１０の動作の一例を説明するための図である。本例においては、センサ装置１０を用いたセンシング方法が以下のようにして実施されている。
【０１０６】
実施形態に係るセンサ装置１０が本実施例に係るセンサ装置１０と同様である場合、図２〜図４に示した例において、センサ装置１０は、図２に示したタイミングで図４２に示すように動作し、図４に示したタイミングで図４３に示すように動作する。
【０１０７】
まず、図４２に示すように、時刻ｔ＝０において、送信器１００からの電磁波が第１方向Ｄ１に向けて射出される。
【０１０８】
次いで、図４３に示すように、時刻ｔ＝２Ｔにおいて、第１方向Ｄ１からの電磁波が受信器２００に達する。時刻ｔ＝２Ｔにおいて、第１角度範囲ＡＲは、第１方向Ｄ１に未だ達していない。これにより、この電磁波は、受信器２００に検出されない。
【０１０９】
実施形態に係るセンサ装置１０が本実施例に係るセンサ装置１０と同様である場合、図５〜図７に示した例において、センサ装置１０は、図５に示したタイミングで図４２に示すように動作し、図７に示したタイミングで図４４に示すように動作する。
【０１１０】
まず、図４２に示すように、時刻ｔ＝０において、送信器１００からの電磁波が第１方向Ｄ１に向けて射出される。
【０１１１】
次いで、図４４に示すように、時刻ｔ＝４Ｔにおいて、第１方向Ｄ１からの電磁波が受信器２００に達する。時刻ｔ＝４Ｔにおいて、第１角度範囲ＡＲは、第１方向Ｄ１と重なっている。これにより、この電磁波は、受信器２００に検出される。
【０１１２】
実施形態に係るセンサ装置１０が本実施例に係るセンサ装置１０と同様である場合、図８〜図１０に示した例において、センサ装置１０は、図８に示したタイミングで図４２に示すように動作し、図１０に示したタイミングで図４５に示すように動作する。
【０１１３】
まず、図４２に示すように、時刻ｔ＝０において、送信器１００からの電磁波が第１方向Ｄ１に向けて射出される。
【０１１４】
次いで、図４５に示すように、時刻ｔ＝６Ｔにおいて、第１方向Ｄ１からの電磁波が受信器２００に達する。時刻ｔ＝６Ｔにおいて、第１角度範囲ＡＲは、第１方向Ｄ１を既に通過している。これにより、この電磁波は、受信器２００に検出されない。
【０１１５】
図４６〜図４８は、図４１に示したセンサ装置１０から電磁波が射出されるタイミングの一例を説明するための図である。本例においては、センサ装置１０を用いたセンシング方法が以下のようにして実施されている。
【０１１６】
実施形態に係るセンサ装置１０が本実施例に係るセンサ装置１０と同様である場合、図１２〜図１６に示した例において、センサ装置１０は、図１２に示したタイミングで４６に示すように動作し、図１４に示したタイミングで図４７に示すように動作すし、図１６に示したタイミングで図４８に示すように動作する。
【０１１７】
まず、図４６に示すように、時刻ｔ＝０において、送信器１００からの電磁波が第１方向Ｄ１に向けて射出される。
【０１１８】
次いで、図４７に示すように、時刻ｔ＝４Ｔにおいて、送信器１００からの電磁波が第２方向Ｄ２に向けて射出される。
【０１１９】
次いで、図４８に示すように、時刻ｔ＝６Ｔにおいて、第１方向Ｄ１からの電磁波及び第２方向Ｄ２からの電磁波が受信器２００に達する。時刻ｔ＝６Ｔにおいて、第１角度範囲ＡＲ１は、第１方向Ｄ１を既に通過しており、第２方向Ｄ２に未だ達していない。これにより、これらの電磁波は、受信器２００に検出されない。
【０１２０】
以上、図面を参照して実施形態及び実施例について述べたが、これらは本発明の例示であり、上記以外の様々な構成を採用することもできる。
【符号の説明】
【０１２１】
１０  センサ装置
１００  送信器
２００  受信器
２１２  面
３１０  可動反射器
３１２  第１面
３１４  第２面
３２０  ロータ
【図１】
2018071989.tif 000008
【図２】
2018071989.tif 000009
【図３】
2018071989.tif 000010
【図４】
2018071989.tif 000011
【図５】
2018071989.tif 000012
【図６】
2018071989.tif 000013
【図７】
2018071989.tif 000014
【図８】
2018071989.tif 000015
【図９】
2018071989.tif 000016
【図１０】
2018071989.tif 000017
【図１１】
2018071989.tif 000018
【図１２】
2018071989.tif 000019
【図１３】
2018071989.tif 000020
【図１４】
2018071989.tif 000021
【図１５】
2018071989.tif 000022
【図１６】
2018071989.tif 000023
【図１７】
2018071989.tif 000024
【図１８】
2018071989.tif 000025
【図１９】
2018071989.tif 000026
【図２０】
2018071989.tif 000027
【図２１】
2018071989.tif 000028
【図２２】
2018071989.tif 000029
【図２３】
2018071989.tif 000030
【図２４】
2018071989.tif 000031
【図２５】
2018071989.tif 000032
【図２６】
2018071989.tif 000033
【図２７】
2018071989.tif 000034
【図２８】
2018071989.tif 000035
【図２９】
2018071989.tif 000036
【図３０】
2018071989.tif 000037
【図３１】
2018071989.tif 000038
【図３２】
2018071989.tif 000039
【図３３】
2018071989.tif 000040
【図３４】
2018071989.tif 000041
【図３５】
2018071989.tif 000042
【図３６】
2018071989.tif 000043
【図３７】
2018071989.tif 000044
【図３８】
2018071989.tif 000045
【図３９】
2018071989.tif 000046
【図４０】
2018071989.tif 000047
【図４１】
2018071989.tif 000048
【図４２】
2018071989.tif 000049
【図４３】
2018071989.tif 000050
【図４４】
2018071989.tif 000051
【図４５】
2018071989.tif 000052
【図４６】
2018071989.tif 000053
【図４７】
2018071989.tif 000054
【図４８】
2018071989.tif 000055